(57)【要約】【課題】制御対象機器と制御装置間に切り分け端子台を直列に挿入し、制御対象機器と対向する側に新旧の制御装置を接続することにより、制御対象機器の稼動状態を維持したまま、新旧の制御装置を切り替えることが可能な切り分け端子台を提供する。【解決手段】この切り分け端子台は、少なくとも断接部１１、１２、１４、１５（第１乃至第４の断接部）を備え、断接部１１、１２の断接部を直列接続した第１の回路と、断接部１４、１５を直列接続した第２の回路との一端Ａを共通にして接続し、第１の回路と第２の回路の他端を制御装置に夫々接続する構成とした。【選択図】図２
2008004330.tif 000002
【特許請求の範囲】
【請求項１】
電圧値により制御される制御対象機器の稼動状態を維持したまま、該制御対象機器を制御していた旧制御装置を新制御装置に切り替える切り分け端子台であって、
前記切り分け端子台は、少なくとも第１の断接部及び第２の断接部を備え、該第１の断接部及び第２の断接部の一端を共通にして接続し、前記各断接部の他端を前記旧制御装置及び前記新制御装置に夫々接続する構成としたことを特徴とする切り分け端子台。
【請求項２】
電流値により制御される制御対象機器の稼動状態を維持したまま、該制御対象機器を制御していた旧制御装置を新制御装置に切り替える切り分け端子台であって、
前記切り分け端子台は、少なくとも第１乃至第４の断接部を備え、前記第１及び第２の断接部を直列接続した第１の回路と前記第３及び第４の断接部を直列接続した第２の回路との一端を共通にして接続し、前記各回路の他端を前記旧制御装置及び前記新制御装置に夫々接続する構成としたことを特徴とする切り分け端子台。
【請求項３】
コ字形状を有し、該コ字形状の導体と絶縁体を背中合わせに貼り合わせた構成の短絡バーを備えたことを特徴とする請求項２に記載の切り分け端子台。
【請求項４】
制御対象機器に制御電圧を供給する往復線路に請求項１に記載の切り分け端子台を夫々直列に挿入し、前記各断接部を接状態として前記第１の断接部に前記旧制御装置を接続した状態で該旧制御装置を前記新制御装置に切り替える場合、
前記第２の断接部を断状態として前記新制御装置を接続し、次に該第２の断接部を接状態として前記新制御装置から前記制御電圧を供給すると共に、前記第１の断接部を断状態として前記旧制御装置を切り離す手順により行なうことを特徴とする切り分け端子台の切り分け方法。
【請求項５】
制御対象機器に制御電流を供給する往復線路に請求項２又は３に記載の切り分け端子台を夫々直列に挿入し、前記各断接部を接状態として前記第１の回路に前記旧制御装置を接続した状態で該旧制御装置を前記新制御装置に切り替える場合、
前記第２の回路に備えられた前記新制御装置側に近い断接部を断状態として該新制御装置を接続し、次に前記制御対象機器側に近い各断接部に前記短絡バーを挿入してループを形成するように前記往復線路を短絡すると共に、前記旧制御装置側の線路を遮断し、その状態のまま前記第１の回路に接続された前記旧制御装置側に近い断接部を断状態とした後、前記短絡バーを取り除くと共に、前記第２の回路に接続され前記新制御装置側に近い断接部を接状態として前記旧制御装置を切り離す手順により行なうことを特徴とする切り分け端子台の切り分け方法。
【請求項６】
請求項１に記載の切り分け端子台と、電圧値により制御される制御対象機器と、該制御対象機器に制御電圧を供給すると共に、該制御対象機器の電圧値を計測する制御装置と、を備え、
前記制御対象機器に制御電圧を供給する往復線路に前記切り分け端子台を夫々直列に挿入し、前記各断接部を接状態として前記第１の断接部に前記旧制御装置を接続した状態で該旧制御装置を前記新制御装置に切り替える場合、前記制御対象機器の稼動状態を維持したまま切り替え可能としたことを特徴とする無停電切替装置。
【請求項７】
請求項２又は３に記載の切り分け端子台と、電流値により制御される制御対象機器と、該制御対象機器に制御電流を供給すると共に、該制御対象機器の電流値を計測する制御装置と、を備え、
前記制御対象機器に制御電流を供給する往復線路に前記切り分け端子台を夫々直列に挿入し、前記各断接部を接状態として前記第１の回路に前記旧制御装置を接続した状態で該旧制御装置を前記新制御装置に切り替える場合、前記制御対象機器の稼動状態を維持したまま切り替え可能としたことを特徴とする無停電切替装置。
【発明の詳細な説明】
【技術分野】
【０００１】
本発明は、切り分け端子台及び無停電切替装置に関し、さらに詳しくは、制御対象機器が稼動状態を維持したまま、制御装置を切り替えることが可能な切り分け端子台に関するものである。
【背景技術】
【０００２】
従来、制御対象機器の稼動状態を維持したまま制御装置側を切り替えるためには、装置を二重化しておき、一方の装置がダウン或いはメンテナンスのため停止した場合、他方の装置に自動的に切り替わって、制御対象機器の稼動状態が停止しないように制御している。しかし、一般には二重化を行なうためには多大の費用と設備が必要となるため、例えば、停止することにより人命、財産の安全が脅かされたり、社会に与える悪影響が大きくなる制御対象機器に限って実施されている。そのため、二重化されていない装置の場合、装置が故障したり、或いは装置の交換が必要な場合、その間は制御対象機器は停止せざるを得なかった。例えば、小規模の変電所の遮断器を遠隔制御する遠隔監視制御装置を交換する場合、ケーブルの張替え等を含めて、該当する電力ラインを数日間停電させる必要が生じる。また、大規模な変電所の場合は、該当する電力ラインを１週間位停電させなければならず、電力計画に大きな影響をおよぼす虞がある。
【発明の開示】
【発明が解決しようとする課題】
【０００３】
本発明は、かかる課題に鑑み、制御対象機器と制御装置間に切り分け端子台を直列に挿入し、制御対象機器と対向する側に新旧の制御装置を接続することにより、制御対象機器の稼動状態を維持したまま、新旧の制御装置を切り替えることが可能な切り分け端子台を提供することを目的とする。
また他の目的は、制御対象機器の制御方法が電圧値又は電流値の何れかの場合、夫々に対応した切り分け端子台を提供することである。
また他の目的は、本発明の切り分け端子台を使用し、制御対象機器へ制御電圧及び制御電流を供給している回路や、制御対象機器の電流値や電圧値を計測するための計測信号を伝達している回路を無停電で切り替える無停電切替装置を提供することである。
【課題を解決するための手段】
【０００４】
本発明はかかる課題を解決するために、請求項１は、電圧値により制御される制御対象機器の稼動状態を維持したまま、該制御対象機器を制御していた旧制御装置を新制御装置に切り替える切り分け端子台であって、前記切り分け端子台は、少なくとも第１の断接部及び第２の断接部を備え、該第１の断接部及び第２の断接部の一端を共通にして接続し、前記各断接部の他端を前記旧制御装置及び前記新制御装置に夫々接続する構成としたことを特徴とする。
制御対象機器の制御が電圧値により制御される場合、制御電圧が交換時に途切れないようにするために、２つの断接部を並列に接続して夫々の端子から同じ制御電圧を印加しておき、旧制御装置を取り外して新制御装置に切り替える。この場合、制御対象機器側からみると、制御電圧が停止することなく供給されていることになる。
【０００５】
請求項２は、電流値により制御される制御対象機器の稼動状態を維持したまま、該制御対象機器を制御していた旧制御装置を新制御装置に切り替える切り分け端子台であって、前記切り分け端子台は、少なくとも第１乃至第４の断接部を備え、前記第１及び第２の断接部を直列接続した第１の回路と前記第３及び第４の断接部を直列接続した第２の回路との一端を共通にして接続し、前記各回路の他端を前記旧制御装置及び前記新制御装置に夫々接続する構成としたことを特徴とする。
制御対象機器の制御が電流値により制御される場合、制御電流が交換時に途切れないようにするために、２つの断接部を並列に接続して夫々の端子から同じ制御電流を印加しておき、旧制御装置を取り外して新制御装置に切り替える。この場合、制御対象機器側からみると、制御電流が停止することなく供給されていることになる。
【０００６】
請求項３は、コ字形状を有し、該コ字形状の導体と絶縁体を背中合わせに貼り合わせた構成の短絡バーを備えたことを特徴とする。
各切り分け端子は所定の形状で構成されている。従って、これらの切り分け端子を重ねて構成すると、各断接部の距離が一定の距離となる。そこで本発明では、隣接する断接部の距離になるように短絡バーをコ字形状に構成し、コ字形状の導体と絶縁体を背中合わせに貼り合わせるものである。
【０００７】
請求項４は、制御対象機器に制御電圧を供給する往復線路に請求項１に記載の切り分け端子台を夫々直列に挿入し、前記各断接部を接状態として前記第１の断接部に前記旧制御装置を接続した状態で該旧制御装置を前記新制御装置に切り替える場合、前記第２の断接部を断状態として前記新制御装置を接続し、次に該第２の断接部を接状態として前記新制御装置から前記制御電圧を供給すると共に、前記第１の断接部を断状態として前記旧制御装置を切り離す手順により行なうことを特徴とする。
電圧値により制御する場合、制御対象機器の制御線に夫々直列に切り分け端子台を挿入する。そして、電圧値の大小で制御を行なうため、制御線の両端を短絡しないように絶縁バーにより断接部を断状態とする。即ち、制御装置を接続したり切り離す場合に断接部を断状態とし、それ以外の場合は断接部を接状態となるようにするものである。
【０００８】
請求項５は、制御対象機器に制御電流を供給する往復線路に請求項２又は３に記載の切り分け端子台を夫々直列に挿入し、前記各断接部を接状態として前記第１の回路に前記旧制御装置を接続した状態で該旧制御装置を前記新制御装置に切り替える場合、前記第２の回路に備えられた前記新制御装置側に近い断接部を断状態として該新制御装置を接続し、次に前記制御対象機器側に近い各断接部に前記短絡バーを挿入してループを形成するように前記往復線路を短絡すると共に、前記旧制御装置側の線路を遮断し、その状態のまま前記第１の回路に接続された前記旧制御装置側に近い断接部を断状態とした後、前記短絡バーを取り除くと共に、前記第２の回路に接続され前記新制御装置側に近い断接部を接状態として前記旧制御装置を切り離す手順により行なうことを特徴とする。
電流値により制御する場合、制御対象機器の制御線に夫々直列に切り分け端子台を挿入する。そして、電流値が途切れないようにするため、制御線の両端を短絡バーにより短絡する。このとき、制御対象機器側の制御線は短絡するが、制御装置側の制御線は開放状態としておく。この状態で新旧の制御装置の切り替えを行い、切り替えが完了すると、全ての断接部が接状態となるようにする。
【０００９】
請求項６は、請求項１に記載の切り分け端子台と、電圧値により制御される制御対象機器と、該制御対象機器に制御電圧を供給すると共に、該制御対象機器の電圧値を計測する制御装置と、を備え、前記制御対象機器に制御電圧を供給する往復線路に前記切り分け端子台を夫々直列に挿入し、前記各断接部を接状態として前記第１の断接部に前記旧制御装置を接続した状態で該旧制御装置を前記新制御装置に切り替える場合、前記制御対象機器の稼動状態を維持したまま切り替え可能としたことを特徴とする。
本発明の切り分け端子台を制御対象機器と制御装置の間に備え、絶縁バーをコ字形状に構成して使用することにより、電圧値により制御される制御対象機器の稼動状態を維持したまま制御装置を切り替えることができる。更に、制御対象機器の電圧値を計測する計測回路も同時に切り替えることができる。
【００１０】
請求項７は、請求項２又は３に記載の切り分け端子台と、電流値により制御される制御対象機器と、該制御対象機器に制御電流を供給すると共に、該制御対象機器の電流値を計測する制御装置と、を備え、前記制御対象機器に制御電流を供給する往復線路に前記切り分け端子台を夫々直列に挿入し、前記各断接部を接状態として前記第１の回路に前記旧制御装置を接続した状態で該旧制御装置を前記新制御装置に切り替える場合、前記制御対象機器の稼動状態を維持したまま切り替え可能としたことを特徴とする。
本発明の切り分け端子台を制御対象機器と制御装置の間に備え、短絡バーをコ字形状に構成して使用することにより、電流値により制御される制御対象機器の稼動状態を維持したまま制御装置を切り替えすることができる。更に、制御対象機器の電流値を計測する計測回路も同時に切り替えることができる。
【発明の効果】
【００１１】
本発明によれば、電圧回路用の切り分け端子台は、少なくとも第１の断接部及び第２の断接部を備え、第１の断接部及び第２の断接部の一端を共通にして接続し、各断接部の他端を旧制御装置及び新制御装置に夫々接続する構成としたので、新旧の制御装置を個別に断接することができるため、電圧値により制御される制御対象機器の稼動状態を維持したまま、この制御対象機器を制御していた旧制御装置を新制御装置に切り替えることができる。更に、制御対象機器の電圧値を計測する計測回路も同時に切り替えることができる。
【００１２】
また、電流回路用の切り分け端子台は、少なくとも第１乃至第４の断接部を備え、第１及び第２の断接部を直列接続した第１の回路と第３及び第４の断接部を直列接続した第２の回路との一端を共通にして接続し、各回路の他端を旧制御装置及び新制御装置に夫々接続する構成としたので、新旧の制御装置を個別に断接することができるため、電流値により制御される制御対象機器の稼動状態を維持したまま、この制御対象機器を制御していた旧制御装置を新制御装置に切り替えることができる。更に、制御対象機器の電流値を計測する計測回路も同時に切り替えることができる。
【発明を実施するための最良の形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１４】
図１は本発明の無停電切替装置の概略構成図である。この無停電切替装置１００は、遠隔地から制御対象機器（屋外装置）を制御する遠隔監視制御装置（以下、単に制御装置と呼ぶ）１と、屋外装置１を稼動状態のまま制御装置１を切り替える切り分け端子台２と、制御対象機器である複数の屋外装置４ａ〜４ｎと、を備えて構成され、切り分け端子台２と屋外装置４ａ〜４ｎとはケーブル３により接続されている。尚、図では制御装置１に対して複数の屋外装置を制御するように記載されているが、１対１でも構わない。
【００１５】
次に無停電切替装置１００の概略動作について説明する。例えば、制御装置１が古くなり新しい機種に切り替える場合、屋外装置４を稼動したまま切り替える必要があるとすると、本発明の切り分け端子台２を操作することにより屋外装置４を稼動状態のまま制御装置１を新しい機種に交換することができる（詳細は後述する）。また、屋外装置４は電圧値により制御されるタイプと、電流値により制御されるタイプがあり、各タイプ毎に切り分け端子台２の構成が異なる。また、制御装置１には、屋外装置４の電流値や電圧値を計測するための計測信号を伝達している計測回路も接続されており、この計測回路も含めて稼動状態のまま制御装置１を新しい機種に交換することができる。
【００１６】
図２は本発明の切り分け端子台の内部構成図である。図２（ａ）は電流回路用の切り分け端子台である。この切り分け端子台は、少なくとも断接部１１、１２、１４、１５（第１乃至第４の断接部）を備え、断接部１１、１２の断接部を直列接続した第１の回路と、断接部１４、１５を直列接続した第２の回路との一端Ａを共通にして接続し、第１の回路と第２の回路の他端を制御装置に夫々接続する構成とした。尚、切り分け端子台は線路の片側に同じものが１つずつ備えられる。また、各断接部は例えば断接部１１を例に採ると、バネ状の可動接点１１Ａ、１１Ｂが導体１１Ｃを挟むように接触している。従って、通常状態では第１の回路と第２の回路は点線のように導通経路が形成されている。また、一端Ａには図示しない屋外装置への制御線を接続するためのネジ部１０があり、他端は図示しない制御装置への制御線を接続するためのネジ部１３、１６がある。
【００１７】
図２（ｂ）は電圧回路用の切り分け端子台であり、図２（ｂ−Ａ）は通常状態を表し、図２（ｂ−Ｂ）は一方の断接部を断状態にしたときの図である。この切り分け端子台は、少なくとも断接部２１（第１の断接部）及び断接部２３（第２の断接部）を備え、断接部２１及び断接部２３の一端Ｂを共通にして接続し、断接部２１及び断接部２３の他端を制御装置に夫々接続する構成とした。尚、切り分け端子台は線路の片側に同じものが１つずつ備えられる。また、各断接部は図２（ａ）と同様の構成である。従って、通常状態では点線のように導通経路が形成されている。また、一端Ｂには図示しない屋外装置への制御線を接続するためのネジ部２０があり、他端は図示しない制御装置への制御線を接続するためのネジ部２２、２４がある。
次に図２（ｂ−Ｂ）を参照すると、断接部２３に絶縁バー２５（詳細は後述する）を挿入すると、可動接点２３ａ、２３ｂが導体２３ｃから離れて回路が非導通となる。
【００１８】
図３は本発明の電流回路用の切り分け端子台の外観構成図である。同じ構成要素には図２と同じ参照番号を付して説明する。図３（ａ）は上面図、（ｂ）は前面図、（ｃ）は裏面図、（ｄ）は複数の切り分け端子台を固定金具により集積した前面図である。切り分け端子台は外部の衝撃や塵埃から接点を保護するために、外形はカバーに覆われている。そして、カバーの両端に切り分け端子台を固定するための固定ネジ１７、１８が備えられている。次に図３（ｄ）を参照すると、複数の切り分け端子台を積層して固定金具１９、２０に固定ネジ１７、１８により固定される。また固定金具１９、２０は図示しない筐体等にネジ穴１９ａ〜１９ｃ、及び２０ａ〜２０ｃにより固定される。このような構成にすることにより、各切り分け端子台の断接部のピッチＤを一定とすることができる。
【００１９】
図４は本発明の切り分け端子台を使用した接続形態を模式化した図である。図４（ａ）は電圧回路用であり、図４（ｂ）は電流回路用である。図４（ａ）の接続形態では、制御対象機器４０の端子４０ａ、４０ｂから線路４６、４７が図２（ｂ）で説明した切り分け端子台４１の端子４１ａ、４１ｂに接続される。尚、切り分け端子台４１は図２（ｂ）で説明した切り分け端子台がＡ、Ｂ２つあり、各線路４６、４７に夫々直列に接続される。切り分け端子台Ａには断接部ａ、ｂを有し、切り分け端子台Ｂには断接部ｃ、ｄを有している。例えば、通常稼動状態で旧制御装置４３が切り分け端子台Ａ、Ｂの端子４１ｄ、４１ｆに接続され、旧制御装置４３内の電源４５から制御対象機器４０に制御電圧Ｖを供給している状態において、何らかの理由により旧制御装置４３を新制御装置４２に交換する必要が生じた場合について説明する。
【００２０】
この例では、制御対象機器４０は、制御電圧Ｖが供給されているときに稼動状態とし、制御電圧Ｖが供給されなくなると運転を停止するものとする。このような状況下で制御対象機器４０の稼動状態を維持したまま、旧制御装置４３を新制御装置４２に交換するためには、制御電圧を停止しないことが必要である。まず、新制御装置４２を切り分け端子台４１の端子４１ｃ、４１ｅに接続するために、断接部ａ、ｃに絶縁バーを挿入して断状態とする。これにより、新制御装置４２を接続している際に発生するノイズや異常電圧を線路４６、４７に流して制御電圧Ｖを乱すことを防止することができる。この状態で新制御装置４２の電源４４の電圧をチェックして制御電圧Ｖが正常値であることを確認する。そして、絶縁バーを引き抜き、断接部ａ、ｃを接状態とする。これにより、新制御装置４２と旧制御装置４３の電源が線路４６、４７に並列に供給されたことになる（尚、条件として新制御装置４２と旧制御装置４３の制御電圧Ｖは同電位とする）。次に旧制御装置４３を切り離すために、断接部ｂ、ｄに絶縁バーを挿入して断状態とする。これにより、旧制御装置４３を切り離している際に発生するノイズや異常電圧を線路４６、４７に流して制御電圧Ｖを乱すことを防止することができる。そして旧制御装置４３の切り離しが完了すると、絶縁バーを引き抜き、断接部ｂ、ｄを接状態とする。この結果、制御対象機器４０を稼動状態のまま、制御装置が旧制御装置４３から新制御装置４２に切り替わったことになる。
【００２１】
図４（ｂ）の接続形態では、制御対象機器５０の端子５０ａ、５０ｂから線路５７、５８が図２（ａ）で説明した切り分け端子台５２の端子５２ａ、５２ｂに接続される。尚、切り分け端子台５２は図２（ａ）で説明した切り分け端子台がＡ、Ｂ２つあり、各線路５７、５８に夫々直列に接続される。切り分け端子台Ａには断接部ａ、ｂ、ｃ、ｄを有し、切り分け端子台Ｂには断接部ｅ、ｆ、ｇ、ｈを有している。例えば、通常稼動状態で旧制御装置５４が切り分け端子台Ａ、Ｂの端子５２ｄ、５２ｆに接続され、旧制御装置５４内の電流監視計５６により監視しながら、電源５１から制御対象機器５０に制御電流Ｉを供給している状態において、何らかの理由により旧制御装置５４を新制御装置５３に交換する必要が生じた場合について説明する。
【００２２】
この例では、制御対象機器５０は、制御電流Ｉが供給されているときに稼動状態とし、制御電流Ｉが供給されなくなると運転を停止するものとする。このような状況下で制御対象機器５０の稼動状態を維持したまま、旧制御装置５４を新制御装置５３に交換するためには、制御電流Ｉを停止しないことが必要である。まず、新制御装置５３を切り分け端子台５２の端子５２ｃ、５２ｅに接続するために、断接部ｂ、ｆに絶縁バーを挿入して断状態とする。そして新制御装置５３を切り分け端子台５２の端子５２ｃ、５２ｅに接続する。これにより、新制御装置５３を接続している際に発生するノイズや異常電圧を線路５７、５８に流して制御電流Ｉを乱すことを防止することができる。次に線路５７、５８の制御対象機器５０側を短絡し、且つ制御装置側を断状態とするために、短絡バー５４、５５（詳細は後述する）を断接部ａ、ｅ及びｃ、ｇ間に挿入すると共に、断接部ｄ、ｈに絶縁バーを挿入する。この状態では線路５７、５８は断接部ａ、ｅ、及びｃ、ｇにより短絡され、電流ループが形成される。次にこの状態のまま短絡バー５４、５５と断接部ｂ、ｆに挿入した絶縁バーを引き抜き、断接部ａ、ｂ、ｅ、ｆを接状態とする。これにより、新制御装置５３と線路５７、５８が接続されたことになる。次に旧制御装置５４を端子５２ｄ、５２ｆから取り外し、最後に絶縁バーを断接部ｄ、ｈから引き抜き、断接部ｄ、ｈを接状態とする。この結果、制御対象機器５０を稼動状態のまま、制御装置が旧制御装置５４から新制御装置５３に切り替わったことになる。
【００２３】
図５は電圧回路における切り分け端子台の切り替え手順を模式化した図である。尚、この図では一方の切り分け端子台の手順のみ記してある。同じ構成要素には図２（ｂ）と同じ参照番号を付して説明する。尚、ケーブル２７には図示しない制御対象機器が接続され、ケーブル２８には図示しない旧制御装置が接続され、ケーブル２９には図示しない新制御装置が接続されるものとする。
この例では、図示しない制御対象機器は、制御電圧が供給されているときに稼動状態とし、制御電圧が供給されなくなると運転を停止するものとする。このような状況下で制御対象機器の稼動状態を維持したまま、旧制御装置を新制御装置に交換するためには、制御電圧を停止しないことが必要である。
【００２４】
ｓｔｅｐ１：ケーブル２７に制御対象機器が接続され、ケーブル２８には旧制御装置が接続されている（図５（ａ））。
ｓｔｅｐ２：ｓｔｅｐ１の状態からまず、新制御装置を切り分け端子台の端子２２に接続するために、断接部２１に絶縁バー２５を挿入して断状態とする。これにより、新制御装置４２を接続している際に発生するノイズや異常電圧を線路に流して制御電圧を乱すことを防止することができる。この状態で新制御装置の電源電圧をチェックして制御電圧が正常値であることを確認する（図５（ｂ））。
ｓｔｅｐ３：そして、ケーブル２９を端子２２に接続して、絶縁バー２５を引き抜き、断接部２１を再び接状態とする。これにより、新制御装置と旧制御装置の電源が線路に並列に供給されたことになる（尚、条件として新制御装置と旧制御装置の制御電圧Ｖは同電位とする）（図５（ｃ））。
ｓｔｅｐ４：次に旧制御装置を切り離すために、断接部２３に絶縁バー２５を挿入して断状態として、ケーブル２８を端子２４から取り外す。これにより、旧制御装置を切り離している際に発生するノイズや異常電圧を線路に流して制御電圧を乱すことを防止することができる。そして旧制御装置の切り離しが完了すると、絶縁バー２５を引き抜き、断接部２３を再び接状態とする（図示せず）。この結果、制御対象機器を稼動状態のまま、制御装置が旧制御装置から新制御装置に切り替わったことになる（図５（ｄ））。
【００２５】
図６は電流回路における切り分け端子台の切り替え手順を模式化した図である。この例では、制御対象機器は、制御電流が供給されているときに稼動状態とし、制御電流が供給されなくなると運転を停止するものとする。このような状況下で制御対象機器の稼動状態を維持したまま、旧制御装置を新制御装置に交換するためには、制御電流を停止しないことが必要である。尚、説明の都合上図の上側を第１回路、下側を第２回路と呼ぶ。
【００２６】
ｓｔｅｐ１：ケーブル３０ａ、３０ｂに制御対象機器が接続され、ケーブル３２ａ、３２ｂには旧制御装置が接続されている（図６（ａ））。
ｓｔｅｐ２：まず、新制御装置のケーブル３１ａ、３１ｂを切り分け端子台の端子１３ａ．１３ｂに接続するために、断接部１２ａ、１２ｂに絶縁バー２５を挿入して断状態とする。そして新制御装置のケーブル３１ａ、３１ｂを切り分け端子台の端子１３ａ．１３ｂに接続する。これにより、新制御装置を接続している際に発生するノイズや異常電圧をケーブル３０ａ、３０ｂに流して制御電流を乱すことを防止することができる（図６（ｂ））。
ｓｔｅｐ３：次にケーブル３０ａ、３０ｂに接続された制御対象機器側を短絡し、且つ制御装置側を断状態とするために、２つの短絡バー２６を断接部１１ａ、１１ｂ及び１４ａ、１４ｂ間に挿入する。この状態ではケーブル３０ａ、３０ｂは断接部１１ａ、１１ｂ及び１４ａ、１４ｂにより短絡され、電流ループが形成される（図６（ｃ））。
ｓｔｅｐ４：次に断接部１５ａ、１５ｂに絶縁バー２５を挿入して断接部１５ａ、１５ｂを断状態とする（図６（ｄ））。
ｓｔｅｐ５：次にこの状態のまま短絡バー２６と断接部１２ａ、１２ｂに挿入した絶縁バー２５を引き抜き、断接部１１ａ、１２ａ、１１ｂ、１２ｂを接状態とする。これにより、新制御装置とケーブル３０ａ、３０ｂが接続されたことになる。次に旧制御装置のケーブル３２ａ、３２ｂを端子１６ａ、１６ｂから取り外す（図６（ｅ））。
ｓｔｅｐ６：最後に絶縁バー２５を断接部１５ａ、１５ｂから引き抜き、断接部１５ａ、１５ｂを接状態とする。この結果、制御対象機器を稼動状態のまま、制御装置が旧制御装置から新制御装置に切り替わったことになる（図６（ｆ））。
【００２７】
図７は本発明の切り分け端子台に使用されるバーの一例を示す斜視図である。図７（ａ）は短絡バーの図であり、この短絡バー２６はコ字形状を有し、コ字形状の導体２６ａと絶縁体２６ｂを背中合わせに貼り合わせた構成とし、先端を挿入しやすいようにテーパ形状２６ｃにしてある。図７（ｂ）は絶縁バーの図であり、この絶縁バー２５は絶縁体２５ａをコ字形状にして先端を挿入しやすいようにテーパ形状２５ｂにしてある。尚、これは一例であり、他の形状でも構わない。
【００２８】
以上のとおり本発明によれば、電圧回路用の切り分け端子台は、少なくとも断接部２１及び断接部２３を備え、断接部２１及び断接部２３の一端を共通にして接続し、各断接部の他端を旧制御装置及び新制御装置に夫々接続する構成としたので、新旧の制御装置を個別に断接することができる。
また、制御対象機器に制御電圧を供給する往復線路に切り分け端子台を夫々直列に挿入し、各断接部を接状態として断接部２３に旧制御装置を接続した状態で旧制御装置を新制御装置に切り替える場合、断接部２１を断状態として新制御装置を接続し、次に断接部２１を接状態として新制御装置から制御電圧を供給すると共に、断接部２３を断状態として旧制御装置を切り離すので、電圧値により制御される制御対象機器の稼動状態を維持したまま、この制御対象機器を制御していた旧制御装置を新制御装置に切り替えることができる。
また、電流回路用の切り分け端子台は、少なくとも断接部１１、１２、１４、１５を備え、断接部１１、１２を直列接続した第１の回路と断接部１４、１５を直列接続した第２の回路との一端を共通にして接続し、各回路の他端を旧制御装置及び新制御装置に夫々接続する構成としたので、新旧の制御装置を個別に断接することができる。
【００２９】
また、制御対象機器に制御電流を供給する線路に切り分け端子台を夫々直列に挿入し、各断接部を接状態として第１の回路に旧制御装置を接続した状態で旧制御装置を新制御装置に切り替える場合、第２の回路に備えられた新制御装置側に近い断接部を断状態としてこの新制御装置を接続し、次に制御対象機器側に近い各断接部に短絡バー２６を挿入してループを形成するように線路を短絡すると共に、旧制御装置側の線路を遮断し、その状態のまま第１の回路に接続された旧制御装置側に近い断接部を断状態とした後、短絡バー２６を取り除くと共に、第２の回路に接続され新制御装置側に近い断接部を接状態として旧制御装置を切り離すので、電流値により制御される制御対象機器の稼動状態を維持したまま、この制御対象機器を制御していた旧制御装置を新制御装置に切り替えることができる。
また、短絡バー２６はコ字形状を有し、コ字形状の導体２６ａと絶縁体２６ｂを背中合わせに貼り合わせた構成としたので、隣接する断接部の異なる断接部を同時に接状態若しくは断状態とすることができる。
【００３０】
また、制御対象機器に制御電圧を供給する線路に切り分け端子台を夫々直列に挿入し、各断接部を接状態として断接部２３に旧制御装置を接続した状態でこの旧制御装置を新制御装置に切り替える場合、制御対象機器の稼動状態を維持したまま切り替え可能としたので、制御電圧を送信する制御回路と制御対象機器の電圧値を計測する計測回路も同時に無停電状態で切り替え作業を行うことができる。
また、制御対象機器に制御電流を供給する線路に切り分け端子台を夫々直列に挿入し、各断接部を接状態として第１の回路に旧制御装置を接続した状態でこの旧制御装置を新制御装置に切り替える場合、制御対象機器の稼動状態を維持したまま切り替え可能としたので、制御電流を送信する制御回路と制御対象機器の電流値を計測する計測回路も同時に無停電状態で切り替え作業を行うことができる。
【図面の簡単な説明】
【００３１】
【図１】本発明の無停電切替装置の概略構成図である。
【図２】本発明の切り分け端子台の内部構成図である。
【図３】本発明の電流回路用の切り分け端子台の外観構成図である。
【図４】本発明の切り分け端子台を使用した接続形態を模式化した図である。
【図５】電圧回路における切り分け端子台の切り替え手順を模式化した図である。
【図６】電流回路における切り分け端子台の切り替え手順を模式化した図である。
【図７】本発明の切り分け端子台に使用されるバーの一例を示す斜視図である。
【符号の説明】
【００３２】
５０  制御対象機器、５０ａ、５０ｂ、５２ｄ、５２ｆ  端子、５１  電源、５２  切り分け端子台、５３  新制御装置、５４  旧制御装置、５６  電流監視計、５７、５８  線路、ａ、ｂ、ｃ、ｄ、ｅ、ｆ、ｇ、ｈ  断接部、Ｉ  制御電流
【図１】
2008004330.tif 000003
【図２】
2008004330.tif 000004
【図３】
2008004330.tif 000005
【図４】
2008004330.tif 000006
【図５】
2008004330.tif 000007
【図６】
2008004330.tif 000008
【図７】
2008004330.tif 000009